(57)【要約】【課題】収納棚の使い勝手が悪くならないように、その収納棚に給水設備や排水設備を好適に収容する。【解決手段】洗面室１１においては、連結壁部１８に沿って洗面台１２、洗濯機１３及び収納棚１４が横並びに配置されており、収納棚１４は洗濯機１３と対向壁部１７との間の隙間に設置されている。収納棚１４は、棚本体２１と引き出し２２とを有しており、棚本妻２１は、引き出しスペースと排水設備スペースと給水設備スペースとを有している。排水設備スペースにおいては、洗濯機１３から延びている排水ホース３５が排水トラップ４１に接続されており、給水設備スペースにおいては、給水設備配管３８が上下方向に延びた状態で設置されている。排水設備スペースは引き出しスペースの下方に配置され、給水設備スペースは引き出しスペースの奥側に配置されている。【選択図】      図１
2014104276.tif 000002
【特許請求の範囲】
【請求項１】
棚本体と該棚本体から引き出される引き出しとを有し、水使用機器に横並びとなる位置で床上に設置される建物用の収納棚であって、
前記棚本体は、
前記引き出しが収納されている引き出しスペースと、
前記水使用機器に水を供給するための給水設備を収容可能な給水設備スペースと、
前記水使用機器から排出された水を流すための排水設備を収容可能な排水設備スペースと、
を有しており、
前記給水設備は、前記水使用機器から延びている給水ホースを接続するための給水接続部を有しており、該給水接続部を取り付けるための取付部が、前記棚本体の天板に設けられており、
前記排水設備は、前記水使用機器から延びている排水ホースを接続するための排水接続部を有しており、前記収納棚は、前記排水接続部を前記排水設備スペースに収容した状態で設置されるものであり、
前記給水設備スペースは、前記引き出しスペースよりも奥側に設けられ、前記取付部から下方に向けて延びており、
前記排水設備スペースは、前記引き出しスペースの下方に設けられていることを特徴とする建物用の収納棚。
【請求項２】
前記引き出しは、前記水使用機器との並び方向とは交差する方向に引き出されるものであり、
前記排水設備スペースは、前記引き出しの引き出し方向に沿って延びており、
前記給水設備スペースは、前記取付部から下方に向けて前記棚本体の下端まで延びていることを特徴とする請求項１に記載の建物用の収納棚。
【請求項３】
前記給水設備スペースは、前記引き出しスペース及び前記排水設備スペースよりも奥側に配置されていることを特徴とする請求項２に記載の建物用の収納棚。
【請求項４】
前記棚本体は、
前記天板を下方から支持し、前記引き出しスペースを挟んで対向する一対の側面板と、
当該棚本体の内部空間を背面側に向けて開放した背面開放部と、
を有していることを特徴とする請求項１乃至３のいずれか１項に記載の建物用の収納棚。
【請求項５】
前記棚本体は、前記棚本体の背面側に配置され且つ前記一対の側面板を連結する横桟を有しており、
前記背面開放部は、前記排水設備スペースの奥側において前記棚本体の下端から上方に向けて延びており、
前記横桟は、前記排水設備スペースよりも高い位置に配置されていることを特徴とする請求項４に記載の建物用の収納棚。
【請求項６】
前記棚本体の後方又は側方から当該棚本体の内部に挿し入れられた前記排水ホースを、前記排水接続部に接続可能な位置に向けて案内する案内板を備え、
前記案内板は、前記給水設備スペースにおいて前記側面板に対向し且つ当該棚本体の奥行き方向に延びた状態で、前記横桟に対して固定されていることを特徴とする請求項５に記載の建物用の収納棚。
【請求項７】
前記建物内において洗面室には、対向する一対の壁部の間に洗面台設備と前記水使用機器としての洗濯機とが横並びに設置されており、前記一対の壁部のうち前記洗濯機側の壁部と該洗濯機との間の隙間に設置されている建物用の収納棚であって、
前記給水設備スペースは、上下方向に長いスペースとして設けられ、
前記排水設備スペースは、棚前後方向に長いスペースとして設けられていることを特徴とする請求項１乃至６のいずれか１項に記載の建物用の収納棚。
【請求項８】
前記棚本体は、
前記天板を下方から支持し、前記引き出しスペースを挟んで対向する一対の側面板を有しており、
前記一対の側面板のうち前記水使用機器側の側面板には、前記排水ホースを挿し入れるための挿し入れ孔が、前記棚本体の奥行き方向において前記給水設備スペースと重なる位置に設けられていることを特徴とする請求項１乃至７のいずれか１項に記載の建物用の収納棚。
【請求項９】
前記棚本体は、前記引き出しの下方に配置された蹴込み板を有しており、
前記蹴込み板は、前記排水設備スペースを前記棚本体の前面側から覆う閉状態と、前記排水設備スペースを前記棚本体の前方に向けて開放する開状態とに移行可能であることを特徴とする請求項１乃至８のいずれか１項に記載の建物用の収納棚。
【発明の詳細な説明】
【技術分野】
【０００１】
本発明は、建物用の収納棚に関するものである。
【背景技術】
【０００２】
住宅等の建物において、洗濯機等の水使用機器が洗面室等の居住空間に設置されている場合、その水使用機器は、給水ホースを介して給水栓等の給水設備に接続されているとともに、排水ホースを介して排水トラップ等の排水設備に接続されている。例えば、給水栓が壁部に取り付けられている場合、給水ホースに水を供給する配管が壁内に敷設されると、その分だけ壁厚み寸法が大きくなって居住空間が狭くなることが懸念される。また、排水トラップが床部に設置されている場合、排水トラップを避けて水使用機器を設置することで、排水トラップの上方空間がデッドスペースになることが懸念される。
【０００３】
そこで、水使用機器の隣にキャビネット（収納棚）付きの洗面化粧台を設置し、キャビネットの内部に給水設備や排水設備を設置するという技術が提案されている（例えば特許文献１）。この技術では、キャビネットにおいて引き出しの下方スペースに給水ホースや排水ホースが引き込まれ、その下方スペースにおいて給水ホースが給水設備に接続されているとともに排水ホースが排水設備に接続されている。
【先行技術文献】
【特許文献】
【０００４】
【特許文献１】特開平９−２７１４５１号公報
【発明の概要】
【発明が解決しようとする課題】
【０００５】
しかしながら、引き出しの下方スペースに給水ホース及び排水ホースをまとめて引き込まれている収納棚では、上下方向に引き出しを目一杯に配置することができず、その上下方向において引き出しを収容するスペースむように制限されてしまう。また、引き出しの収納容量を確保するためには、引き出しを前後方向に目一杯に長くする必要が生じてしまう。この場合、配置や形状について制約を受けた引き出しについては、その最奥部分に対して物品を出し入れする作業が行いにくくなるなど使い勝手が悪くなることが懸念される。
【０００６】
本発明は、上記事情に鑑みてなされたものであり、収納棚の使い勝手が悪くならないように、その収納棚に給水設備や排水設備を好適に収容することを主たる目的とするものである。
【課題を解決するための手段】
【０００７】
以下、上記課題を解決するのに有効な手段等につき、必要に応じて作用、効果等を示しつつ説明する。
【０００８】
第１の発明の建物用の収納棚は、棚本体と該棚本体から引き出される引き出しとを有し、水使用機器に横並びとなる位置で床上に設置される建物用の収納棚であって、前記棚本体は、前記引き出しが収納されている引き出しスペースと、前記水使用機器に水を供給するための給水設備を収容可能な給水設備スペースと、前記水使用機器から排出された水を流すための排水設備を収容可能な排水設備スペースと、を有しており、前記給水設備は、前記水使用機器から延びている給水ホースを接続するための給水接続部を有しており、該給水接続部を取り付けるための取付部が、前記棚本体の天板に設けられており、前記排水設備は、前記水使用機器から延びている排水ホースを接続するための排水接続部を有しており、前記収納棚は、前記排水接続部を前記排水設備スペースに収容した状態で設置されるものであり、前記給水設備スペースは、前記引き出しスペースよりも奥側に設けられ、前記取付部から下方に向けて延びており、前記排水設備スペースは、前記引き出しスペースの下方に設けられていることを特徴とする。
【０００９】
第１の発明によれば、棚本体から引き出しを引き出して取り外すことで、給水設備スペース及び排水設備スペースを収納棚の前方から視認することができ、その状態でそれらスペースにアクセスすることができる。したがって、収納棚の内部に収容された給水設備や排水設備に対するメンテナンス作業を容易に行うことができる。
【００１０】
しかも、収納棚においては、引き出しの奥側スペースが給水設備スペースとされているため、引き出しが収納棚の前後方向に目一杯には長くなっておらず、引き出しの最奥部分であっても物品を出し入れすることが容易になっている。換言すれば、引き出しの奥側に給水設備を収容しても問題がない。さらに、収納棚の下部においては、引き出しを配置しても使い勝手が悪くなってしまうほど低い位置に排水設備スペースが配置され、その排水設備スペースの上方に引き出しが配置されているため、上下方向について収納棚の内部空間を有効利用できる。
【００１１】
以上により、収納棚の使い勝手が悪くならないように、その収納棚に給水設備や排水設備を好適に収容することができる。
【００１２】
第２の発明では、第１の発明において、前記引き出しは、前記水使用機器との並び方向とは交差する方向に引き出されるものであり、前記排水設備スペースは、前記引き出しの引き出し方向に沿って延びており、前記給水設備スペースは、前記取付部から下方に向けて前記棚本体の下端まで延びている。
【００１３】
第２の発明によれば、水使用機器の隣に形成された幅の狭い狭小空間に設置される収納棚であっても、排水設備スペース及び給水設備スペースを極力大きく確保することができる。しかも、給水設備スペースが棚本体の下端に達しているため、給水設備及び排水設備の両方を床部などの下方から立ち上げることができる。この場合、給水設備及び排水設備のうち給水設備だけを壁内に設置するという必要がないため、給水設備及び排水設備を設置する際の作業負担を低減できる。さらに、排水設備スペースが前後方向に延びているため、排水設備に対する排水ホースの接続部分を収納棚における手前側に配置できる。したがって、その接続部分に対するメンテナンス作業を容易に行うことができる。
【００１４】
第３の発明では、第２の発明において、前記給水設備スペースは、前記引き出しスペース及び前記排水設備スペースよりも奥側に配置されている。
【００１５】
第３の発明によれば、給水設備スペースが排水設備スペースの奥側に配置されているため、給水設備スペースと排水設備スペースとが幅方向に並べられた収納棚に比べて、収納棚の幅寸法を小さくすることができる。また、排水設備スペースが収納棚の手前側に配置されているため、排水設備スペースに排水ホースを挿し入れる作業や、その排水設備スペースにて排水設備に排水ホースを接続する作業を容易化できる。
【００１６】
第４の発明では、第１乃至第３のいずれかの発明において、前記棚本体は、前記天板を下方から支持し、前記引き出しスペースを挟んで対向する一対の側面板と、当該棚本体の内部空間を背面側に向けて開放した背面開放部と、を有している。
【００１７】
第４の発明によれば、排水ホースを収納棚の後方から背面開放部を通じて排水設備スペースに挿し入れることができるため、排水ホースを挿し入れるための孔を側面板に形成する必要がない。この場合、排水ホースが収納棚の背面側を迂回することで目立ちにくくなるため、収納棚周辺の外観が排水ホースにより損なわれるということを抑制できる。
【００１８】
第５の発明では、第４の発明において、前記棚本体は、前記棚本体の背面側に配置され且つ前記一対の側面板を連結する横桟を有しており、前記背面開放部は、前記排水設備スペースの奥側において前記棚本体の下端から上方に向けて延びており、前記横桟は、前記排水設備スペースよりも高い位置に配置されている。
【００１９】
第５の発明によれば、排水ホースの先端を床面に沿わせるようにして、収納棚の後方から背面開放部を通じて排水設備スペースに挿し入れる際に、排水ホースが収納棚の背面側の横桟に引っ掛かるということを回避できる。したがって、排水設備スペースにおいて排水ホースを排水設備に接続する作業を容易化できる。
【００２０】
第６の発明では、第５の発明において、前記棚本体の後方又は側方から当該棚本体の内部に挿し入れられた前記排水ホースを、前記排水接続部に接続可能な位置に向けて案内する案内板を備え、前記案内板は、前記給水設備スペースにおいて前記側面板に対向し且つ当該棚本体の奥行き方向に延びた状態で、前記横桟に対して固定されている。
【００２１】
第６の発明によれば、排水ホースを案内板に押し当てながら挿し入れていくという容易な作業を行うことで、排水ホースの先端が排水設備の排水接続部に向けて案内されるため、排水ホースを排水接続部に接続する作業を容易化できる。しかも、案内板は横桟に固定されているため、案内板を支持するための専用部材を設ける必要がなく、コスト負担を低減できる。
【００２２】
第７の発明では、第１乃至第６のいずれかの発明において、前記建物内において洗面室には、対向する一対の壁部の間に洗面台設備と前記水使用機器としての洗濯機とが横並びに設置されており、前記一対の壁部のうち前記洗濯機側の壁部と該洗濯機との間の隙間に設置されている収納棚であって、前記給水設備スペースは、上下方向に長いスペースとして設けられ、前記排水設備スペースは、棚前後方向に長いスペースとして設けられている。
【００２３】
第７の発明によれば、収納棚においては、正面視で左右方向の幅はさほどなくても、棚内において引き出しの奥側スペースを給水設備スペースとし、及び引き出しの下方スペースを排水設備スペースとすることで、洗濯機と壁部との間の隙間という壁際の狭小スペースを上手く利用することができる。
【００２４】
第８の発明では、第１乃至第７のいずれかの発明において、前記棚本体は、前記天板を下方から支持し、前記引き出しスペースを挟んで対向する一対の側面板を有しており、前記一対の側面板のうち前記水使用機器側の側面板には、前記排水ホースを挿し入れるための挿し入れ孔が、前記棚本体の奥行き方向において前記給水設備スペースと重なる位置に設けられている。
【００２５】
第８の発明によれば、挿し入れ孔が側面板に形成されているため、排水ホースを収納棚の側方から容易に挿し入れることができる。しかも、引き込み孔は引き出しスペースよりも奥側に配置されているため、収納棚の正面側からは排水ホースの挿し入れ部分が目立ちにくくなり、収納棚周辺の外観が損なわれることを抑制できる。
【００２６】
第９の発明では、第１乃至第８のいずれかの発明において、前記棚本体は、前記引き出しの下方に配置された蹴込み板を有しており、前記蹴込み板は、前記排水設備スペースを前記棚本体の前面側から覆う閉状態と、前記排水設備スペースを前記棚本体の前方に向けて開放する開状態とに移行可能である。
【００２７】
第９の発明によれば、蹴込み板の奥側を排水設備スペースとして利用することができる。しかも、作業者は、蹴込み板を開状態とすることで、収納棚の前面側から排水設備スペースに手などを差し込んで排水ホースの接続作業を行うことができる。また、この場合、引き出しを取り外さなくても排水設備スペースでの作業が可能となる。
【図面の簡単な説明】
【００２８】
【図１】洗面室における洗濯機及び収納棚の配置を示す図
【図２】収納棚の構成を示す図
【図３】排水トラップへの排水ホースの接続手順を示す図
【図４】別の収納棚の斜視図
【発明を実施するための形態】
【００２９】
以下、本発明を具体化した一実施形態について図面を参照しつつ説明する。図１は洗面室１１における洗濯機１３及び収納棚１４の配置を示す図、図２は収納棚１４の構成を示す図である。なお、図１においては、（ａ）に洗面室１１の一部の平面図を示し、（ｂ）に洗濯機１３及び収納棚１４の正面図を示す。また、図２においては、給水ホース３４及び排水ホース３５の図示を省略しており、（ａ）に図１（ａ）のＡ−Ａ線断面図を示し、（ｂ）に図１（ａ）のＢ−Ｂ線断面図を示す。さらに、図２（ｂ）の天板２４については、取付部４５の断面図を示している。
【００３０】
図１（ａ）に示すように、建物１０は居住空間としての洗面室１１を有しており、その洗面室１１には、洗面台１２、洗濯機１３及び収納棚１４が設置されている。洗面室１１は、間仕切壁や外壁等の壁体１６により屋外空間や他の居住空間に対して仕切られており、壁体１６は、互いに対向する一対の対向壁部１７と、それら対向壁部１７を連結する連結壁部１８とを有している。洗面台１２、洗濯機１３及び収納棚１４は、一対の対向壁部１７の間において連結壁部１８に沿って横並びに配置されている。この場合、収納棚１４の幅寸法は、その収納棚１４を挟んで隣り合う洗濯機１３と対向壁部１７との離間距離よりも若干小さくされており、それら洗濯機１３と対向壁部１７との間の空間部を収納棚１４の設置スペースとして有効利用している。
【００３１】
なお、洗濯機１３は、水を使用する電気機器であり、水使用機器に相当する。また、洗濯機１３及び収納棚１４が設置されている居住空間は、洗面室１１ではなく脱衣室や洗濯室などとされていてもよい。また、洗面台１２は洗面台設備に相当する。
【００３２】
図１（ｂ）に示すように、洗濯機１３及び収納棚１４は、洗面室１１の床部１９の上に設置されている。収納棚１４は、略直方体形状の棚本体２１と、棚本体２１から引き出される引き出し２２とを有しており、建物１０に設置される建物用の収納棚とされている。引き出し２２は、略直方体形状の箱体とされており、一対の側面板２５の間において上下に複数並べて設けられている。引き出し２２は、洗濯機１３と収納棚１４との並び方向に対して交差する方向に引き出すことが可能になっている。
【００３３】
収納棚１４は、天板２４と一対の側面板２５とを有しており、天板２４は一対の側面板２５により支持されている。一対の側面板２５は、所定間隔で互いに対向しており、天板２４はそれら側面板２５の上に設置されている。一対の側面板２５は横桟２６（図２参照）により連結されている。横桟２６は、一対の側面板２５の間に配置されており、それら側面板２５に架け渡された状態になっている。横桟２６は、棚本体２１の前面側及び背面側のそれぞれにおいて、上下方向に複数並べられている。
【００３４】
棚本体２１は、背面板及び底板を有しておらず、棚本体２１の内部空間は背面側及び下側に向けて開放されており、その開放部分を背面開放部２７としている。背面開放部２７は、棚本体２１の背面側に配置された複数の横桟２６により上下方向に仕切られた状態になっている。
【００３５】
棚本体２１は、引き出し２２の下方に配置された蹴込み板２８を有している。蹴込み板２８は、一対の側面板２５の間に配置されており、その板面により引き出し２２の下方において棚本体２１の前面を形成している。ここで、各引き出し２２は棚本体２１から引き出して手前側に取り外すことが可能になっており、各引き出し２２が取り外された場合、棚本体２１の内部空間が天板２４と蹴込み板２８との間において手前側に向けて開放された状態になる。
【００３６】
建物１０には、洗濯機１３に水を供給するための給水設備３１と、洗濯機１３から排出された水を下水設備等に流す排水設備３２とが設けられている。洗濯機１３は、給水ホース３４を介して給水設備３１に接続されているとともに、排水ホース３５を介して排水設備３２に接続されている。給水ホース３４及び排水ホース３５は、合成樹脂材料などにより形成されており、可撓性を有する可撓管とされている。
【００３７】
給水設備３１は、洗濯機１３への給水の実行及び停止を切り替える給水栓３７と、給水栓３７に水を供給する給水設備配管３８とを有している。給水栓３７は、給水ホース３４を介して洗濯機１３の給水口に接続されており、給水栓３７から流れ出た水は、給水ホース３４を介して給水口から洗濯機１３の内部に供給される。給水栓３７は、蛇口等の給水接続部３７ａを有しており、その給水接続部３７ａに給水ホース３４が接続されている。また、給水栓３７は、給水接続部３７ａとは異なる水栓接続部３７ｂを有しており、その水栓接続部３７ｂに給水設備配管３８が接続されている。給水設備配管３８は、床部１９から上方に向けて立ち上げられている。
【００３８】
排水設備３２は、洗濯機１３から排出された水が流れ込む排水トラップ４１と、排水トラップ４１からの排水を下水設備に案内する排水設備配管４２とを有している。排水トラップ４１は、床埋め込みタイプの封水トラップであり、排水の一部を封水として溜めている。排水トラップ４１は、床上に露出した排水接続部４１ａを有しており、その排水接続部４１ａに排水ホース３５が接続されている。また、排水トラップ４１は、排水接続部４１ａとは異なるトラップ接続部４１ｂを有しており、そのトラップ接続部４１ｂに排水設備配管４２が接続されている。
【００３９】
本実施形態では、収納棚１４の天板２４に給水栓３７が取り付けられ、床部１９における収納棚１４の載置部分に排水トラップ４１が配置されており、収納棚１４の内部に給水設備配管３８と排水トラップ４１の排水接続部４１ａとが収納されている。収納棚１４の天板２４には、給水栓３７を取り付けるための取付部４５が設けられている。取付部４５は、天板２４を貫通する貫通孔４５ａを有しており、給水栓３７は、水栓接続部３７ｂが貫通孔４５ａを通じて棚本体２１の内部に入り込んだ状態で天板２４の上に設置され、棚本体２１の内部において水栓接続部３７ｂに給水設備配管３８が接続されている。
【００４０】
図２（ｂ）に示すように、収納棚１４は、各引き出し２２を収納している引き出しスペース５１と、給水設備３１として給水設備配管３８を収容している給水設備スペース５２と、排水設備３２として排水トラップ４１の排水接続部４１ａを収容している排水設備スペース５３とを有している。引き出しスペース５１、給水設備スペース５２及び排水設備スペース５３は、棚本体２１の内部空間が分割されて定められた各空間部であり、一対の側面板２５の間に配置されている。
【００４１】
引き出しスペース５１は、棚本体２１の前面に沿って天板２４の下面から下方に向けて延びているとともに、天板２４に沿って棚本体２１の前面から奥側に向けて延びている。排水設備スペース５３は、引き出しスペース５１の下方に配置されており、蹴込み板２８に沿って棚本体２１の下端から上方に向けて延びている。この場合、引き出しスペース５１と排水設備スペース５３とは上下に並べて配置されている。また、上述したように、棚本体２１は底板を有していないため、排水設備スペース５３は床面から上方に向けて延びていることになる。
【００４２】
給水設備スペース５２は、引き出しスペース５１及び排水設備スペース５３の背面側に配置されており、棚本体２１の背面に沿って天板２４の下面から下方に向けて延びているとともに、天板２４に沿って棚本体２１の背面から手前側に向けて延びている。給水設備スペース５２は、取付部４５から棚本体２１の下端（床面）まで達している。この場合、給水設備スペース５２と引き出しスペース５１及び排水設備スペース５３とは、棚本体２１の前後方向に並んでいる。
【００４３】
棚本体２１において、蹴込み板２８の高さ寸法は、排水設備スペース５３の高さ寸法と同じ又はそれよりも大きくされており、蹴込み板２８は排水設備スペース５３を手前側から覆った状態になっている。ここで、蹴込み板２８は、排水設備スペース５３を手前側に向けて開放した開状態に移行可能になっている。蹴込み板２８は、一対の側面板２５に対して回動可能に軸支されており、上端が棚本体２１の外側に向けて倒れるように回動することで開状態に移行し、上端が起き上がるように回動することで閉状態に移行する。
【００４４】
なお、蹴込み板２８には取っ手５５が取り付けられており、作業者は取っ手５５を手前に引くことで蹴込み板２８を閉状態から開状態に移行させることができる。
【００４５】
棚本体２１においては、横桟２６が排水設備スペース５３よりも上方に配置されている。この場合、棚本体２１の前面側及び背面側のいずれにおいても、一対の側面板２５が最下段の横桟２６よりも下方にそれぞれ突出しており、それら突出部分が棚本体２１の一対の脚部としての役割を果たしている。したがって、排水設備スペース５３の前面側及び背面側のいずれにも横桟２６が存在していない。なお、排水設備スペース５３は、給水設備スペース５２を介して奥側に開放されている。
【００４６】
収納棚１４は、床部１９からの給水設備配管３８の立ち上げ位置に給水設備スペース５２が重なり、且つ排水トラップ４１の排水接続部４１ａに排水設備スペース５３が重なる位置に設置されている。この場合、給水設備配管３８の立ち上げ位置と給水栓３７とが上下に並んでおり、給水設備配管３８は給水設備スペース５２を上下に貫通した状態になっている。
【００４７】
排水ホース３５は、背面開放部２７を通じて棚本体２１の内部に挿し入れられた状態になっている。この場合、排水ホース３５は、背面開放部２７における最下段の横桟２６よりも下方部分を通じて、給水設備スペース５２を通って排水設備スペース５３に向けて延びており、その状態で排水トラップ４１の排水接続部４１ａに接続されている。
【００４８】
収納棚１４には、排水ホース３５を排水接続部４１ａに接続する際に、背面開放部２７から挿し入れられた排水ホース３５を排水接続部４１ａに向けて案内する案内板５７が、設けられている。案内板５７は、引き出しスペース５１の下方において、一対の側面板２５の中間位置に立設されており、それら側面板２５と平行に延びている。案内板５７は、棚本体２１の背面から前面側に向けて棚前後方向の中間位置まで延びており、案内板５７が設置されている領域においては、給水設備スペース５２及び排水設備スペース５３が左右に仕切られた状態になっている。この場合、棚前後方向において、案内板５７の長さ寸法は収納棚１４の長さ寸法よりも小さくされており、案内板５７の手前側端部は、排水トラップ４１の排水接続部４１ａよりも奥側に配置されている。案内板５７は、背面開放部２７における最下段の横桟２６に対してビス等により固定されている。
【００４９】
図２（ａ）に示すように、排水トラップ４１の排水接続部４１ａ及び排水ホース３５は、排水設備スペース５３において案内板５７よりも洗濯機１３側の領域に配置されている。
一方、給水設備配管３８は、排水接続部４１ａ及び排水ホース３５とは案内板５７を挟んで反対側の領域に配置されている。
【００５０】
次に、排水ホース３５により洗濯機１３と排水トラップ４１とを接続する際の作業手順について、図３を参照しつつ説明する。図３は排水トラップ４１への排水ホース３５の接続手順を示す図である。なお、図３の収納棚１４については、引き出しスペース５１よりも下方を上から見た横断面を示している。
【００５１】
図３（ａ）においては、床部１９から給水設備配管３８が立ち上げられ、且つ床部１９に排水トラップ４１が設置されている状態で、洗面室１１に洗濯機１３及び収納棚１４を設置している。
【００５２】
洗濯機１３に排水ホース３５の一端を接続した状態で、排水ホース３５の自由端（洗濯機１３とは反対側の端部）を収納棚１４の背面開放部２７から給水設備スペース５２に挿し入れる。ここで、排水ホース３５を案内板５７の手前側に挿し入れることで、排水ホース３５の自由端が案内板５７の板面に沿って収納棚１４の手前側に案内される。この場合、排水ホース３５の自由端が、一対の側面板２５のうち洗濯機１３から遠い側の側面板２５に向けて進んでしまうのではなく、洗濯機１３に近い側の側面板２５に沿うように排水トラップ４１の排水接続部４１ａに向けて進むことになる。その後、図３（ｂ）に示すように、排水ホース３５の自由端を排水接続部４１ａに接続する。
【００５３】
また、排水ホース３５を案内板５７に沿って移動させると、排水ホース３５が給水設備スペース５２における給水設備配管３８が立ち上げられた領域に侵入しないことになる。この場合、排水ホース３５が給水設備配管３８よりも洗濯機１３から遠い側に回り込んでしまうということが回避されるため、排水ホース３５の自由端を排水接続部４１ａに向けて移動させることが容易になる。
【００５４】
ちなみに、排水ホース３５は、収納棚１４の側面板２５を避けて奥側に迂回した状態で排水トラップ４１に接続されている。したがって、排水ホース３５を洗濯機１３から排水トラップ４１に向けて直線的に延びる状態ではなく、排水ホース３５における中間部分が連結壁部１８に向けて膨らんだ状態にしておくことで、排水ホース３５を排水トラップ４１に接続した後であっても、その排水ホース３５が支障にならずに収納棚１４を洗濯機１３の隣に設置することができる。
【００５５】
なお、給水ホース３４の接続については、給水栓３７を、天板２４の貫通孔４５ａに水栓接続部３７ｂを挿し入れながら天板２４の上に載せ、水栓接続部３７ｂを給水設備配管３８の上端に接続する。そして、給水栓３７を取付部４５に対して固定し、洗濯機１３に給水ホース３４の一端を接続した状態で、給水ホース３４の自由端を給水栓３７の給水接続部３７ａに接続する。
【００５６】
以上詳述した本実施形態によれば、以下の優れた効果が得られる。
【００５７】
棚本体２１から引き出し２２を取り外すことで、給水設備スペース５２及び排水設備スペース５３を収納棚の前方から視認することができ、その状態でそれらスペース５２，５３において給水設備３１や排水設備３２に対するメンテナンス作業を容易に行うことができる。
【００５８】
しかも、引き出しスペース５１の奥側に給水設備スペース５２が配置されているため、引き出し２２が棚本体２１の前後方向に目一杯には長くなっておらず、引き出し２２の最奥部分であっても物品を収納したり取り出したりすることを容易に行うことができる。さらに、収納棚１４の下部においては、引き出し２２を配置しても使い勝手が悪くなってしまうほど低い位置には排水設備スペース５３が配置され、その上に引き出し２２が設置されているため、上下方向について収納棚１４の内部空間を有効利用することになる。
【００５９】
以上により、収納棚１４において引き出し２２の使い勝手が悪くならないように、その収納棚１４に給水設備３１や排水設備３２を好適に収容することができる。
【００６０】
給水設備スペース５２が上下方向に延びており、排水設備スペース５３が前後方向に延びているため、洗面台１２と対向壁部１７との間の隙間という幅の狭い狭小空間に設置される収納棚１４であっても、それらスペース５２，５３を極力大きく確保することが可能となる。また、給水設備スペース５２は棚本体２１の下端にまで達しているため、排水設備配管４２に加えて給水設備配管３８も床部１９から立ち上げることができる。さらに、排水設備スペース５３が前後方向に延びているため、排水トラップ４１を棚本体２１における手前側に配置できる。これにより、排水トラップ４１に排水ホース３５を接続する作業を容易に行うことができる。
【００６１】
給水設備スペース５２と排水設備スペース５３とが前後に並べて配置されているため、これらスペース５２，５３が幅方向に並べられた場合に比べて、収納棚１４の幅寸法を小さくすることができる。換言すれば、給水設備スペース５２及び排水設備スペース５３の各幅寸法を棚本体２１に合わせて目一杯大きくすることができる。これは、メンテナンスに際しての作業スペースを極力大きく確保することになるため、作業性を高めることができる。
【００６２】
棚本体２１の背面開放部２７を通じて排水ホース３５が排水設備スペース５３に挿し入れられているため、排水ホース３５が棚本体２１の側面を貫通して挿し入れられている構成に比べて、収納棚１４を正面から見た場合に排水ホース３５の存在が目立ちにくい状態にすることができる。したがって、収納棚１４周辺の外観が排水ホース３５により損なわれるということを抑制できる。
【００６３】
棚本体２１においては、横桟２６が排水設備スペース５３よりも高い位置に配置されているため、排水ホース３５を背面開放部２７から挿し入れる際に、排水ホース３５が横桟２６に引っ掛かってしまうということを回避できる。したがって、排水ホース３５を棚本体２１の背面側から挿し入れる作業を容易化できる。
【００６４】
棚本体２１においては、背面開放部２７から挿し入れられた排水ホース３５が、案内板５７に沿って手前側に案内されるため、排水ホース３５を排水トラップ４１に接続することが容易となる。しかも、案内板５７は、横桟２６に固定されているため、案内板５７を支持するための専用部材を設ける必要がない。したがって、案内板５７を設置する際のコスト負担が増大することを抑制できる。
【００６５】
蹴込み板２８が開状態に移行可能であるため、作業者は棚本体２１から引き出し２２を取り外さなくても排水設備スペース５３に手などを差し込んで作業を行うことができる。また、作業者が住人でない場合、その作業者が引き出し２２を取り外すことでその作業者に引き出し２２の内部を見られるということがないため、住人のプライバシーを保護することにもなる。
【００６６】
排水ホース３５が収納棚１４の背面側から挿し入れられているため、収納棚１４と洗濯機１３との間に排水ホース３５が存在しない状態にできる。この場合、収納棚１４と洗濯機１３との間に埃が溜まったとしても、その埃が排水ホース３５と混在した状態にはならないため、埃を除去することが容易になる。
【００６７】
［他の実施形態］
本発明は上記実施形態の記載内容に限定されず、例えば次のように実施されてもよい。
【００６８】
（１）収納棚１４は、背面板や底板を有していてもよい。例えば、棚本体２１が背面板を有している場合、背面板に背面開放部２７としての開口が設けられていることが好ましい。この場合、棚本体２１の背面側の一部が背面開放部２７とされていることになる。また、棚本体２１が底板を有している場合、底板には排水トラップ４１の排水接続部４１ａを棚本体２１の内側に露出させるための開口が形成されていることが好ましい。
【００６９】
なお、収納棚１４が背面板を有している場合、背面開放部２７は、上下方向において少なくとも排水設備スペース５３と重なる位置に設けられていればよい。これにより、排水ホース３５を棚本体２１の背面側から排水設備スペース５３まで挿し入れる際に、背面板が支障となることを回避できる。また、棚本体２１の背面側において、横桟２６は、上下方向において排水設備スペース５３と重なる高さ位置に設けられていてもよい。この場合でも、横桟２６を上下に避けることで排水ホース３５を背面開放部２７から挿し入れることは可能である。
【００７０】
（２）上記実施形態では、排水ホース３５が収納棚１４の背面側から挿し入れられていたが、排水ホース３５は収納棚１４の側面から挿し入れられていてもよい。例えば、図４（ａ）に示すように、一対の側面板２５のうち洗濯機１３側の側面板２５に、排水ホース３５を挿し入れるための挿し入れ孔６１が形成されている構成とする。この構成によれば、作業者は排水ホース３５の先端部を視認しながらその排水ホース３５を挿し入れ孔６１に挿し入れることができるため、排水ホース３５の挿し入れ作業が容易になる。
【００７１】
挿し入れ孔６１は、側面板２５において排水設備スペース５３を区画する部分ではなく、給水設備スペース５２を区画する部分に配置されている。この場合、挿し入れ孔６１が収納棚１４の奥側に配置されることになるため、その挿し入れ孔６１や排水ホース３５が目立ちにくくなり、収納棚１４周辺の外観が損なわれることを抑制できる。
【００７２】
また、挿し入れ孔６１は、上下方向において排水設備スペース５３に重なる高さ位置に配置されている。排水ホース３５は、挿し入れ孔６１を通じて棚本体２１の内部に挿し入れられた場合でも、背面開放部２７から挿し入れられた場合と同様に、案内板５７に当接することでその案内板５７の板面に沿って排水トラップ４１の排水接続部４１ａに向けて案内される。このため、排水ホース３５を排水トラップ４１に接続する作業を容易化できる。
【００７３】
（３）収納棚１４は側面板２５を有していなくてもよい。例えば、図４（ｂ）に示すように、棚本体２１が長尺状の脚部６２を有しており、その脚部６２が棚本体２１の四隅に配置されている構成とする。この構成では、各脚部６２が天板２４から下方に向けて延びており、脚部６２の間においては棚本体２１の内部空間が側方に向けて開放されている。この場合、給水設備配管３８を側方から給水設備スペース５２に挿し入れることや、排水ホース３５を側方から排水設備スペース５３に挿し入れることが容易になる。
【００７４】
また、この構成では、隣り合う脚部６２が横桟２６により連結されている。この場合、横桟２６は、棚本体２１の幅方向に並ぶ２つの脚部６２に架け渡されているとともに、棚本体２１の奥行き方向に並ぶ２つの脚部６２に架け渡されている。なお、図４（ｂ）においては、引き出し２２の図示を省略しているとともに、図の奥側に配置されている脚部６２及び横桟２６の図示を省略している。
【００７５】
なお、棚本体２１においては、脚部６２に対して側面板２５が取り付けられていてもよい。この場合、側面板２５は、棚本体２１の内部空間を側方から覆い隠すものであればよく、天板２４を支持する支持部材としての役割を果たす強度を有していなくてもよい。
【００７６】
（４）上記実施形態では、収納棚１４において、給水設備スペース５２と排水設備スペース５３とが前後に配置されていたが、左右に配置されていてもよい。例えば、収納棚１４の幅方向において、給水設備スペース５２が洗濯機１３とは反対側に配置され、排水設備スペース５３が洗濯機１３側に配置されている構成とする。この構成では、排水設備スペース５３が棚本体２１の前面から背面まで延びており、棚本体２１の背面側の下端部付近において、給水設備スペース５２と排水設備スペース５３とが収納棚１４の幅方向において横並びに配置されている。
【００７７】
（５）上記実施形態では、給水設備スペース５２が天板２４から下方に向けて延びて収納棚１４の下端に達していたが、給水設備スペース５２は棚本体２１の下端まで達していなくてもよい。例えば、排水設備スペース５３が棚本体２１の下面の全体に沿って延びるように設けられ、給水設備スペース５２が排水設備スペース５３の上方に配置された構成とする。この構成では、給水設備配管３８は、床部１９から立ち上げられているのではなく、壁体１６から側方に向けて突出し、棚本体２１の側面や背面から給水設備スペース５２に入り込んだ状態になっていることが好ましい。
【００７８】
（６）排水設備スペース５３は、収納棚１４の下端から上方に向けて延びて天板２４の下面に達していてもよい。なお、この場合、排水設備スペース５３は、引き出しスペース５１の奥側に配置されていることが好ましい。
【００７９】
（７）引き出しスペース５１は、棚本体２１の前面から背面まで達するように延びていてもよい。この場合、引き出しスペース５１は、給水設備スペース５２の下側において棚本体２１の背面まで延びていることが好ましい。つまり、給水設備スペース５２の下側に引き出し２２が配置されていることが好ましい。
【００８０】
また、引き出しスペース５１は、棚本体２１の天板２４から下面まで達するように延びていてもよい。この場合、引き出しスペース５１は、排水設備スペース５３の手前側において棚本体２１の下面まで延びていることが好ましい。つまり、排水設備スペース５３の手前側に引き出し２２が配置されていることが好ましい。
【００８１】
（８）収納棚１４には、給水設備スペース５２と排水設備スペース５３とを仕切る仕切板が設けられていてもよい。この場合、仮に給水設備配管３８が可撓管とされていても、その可撓管が排水設備スペース５３にはみ出すことが仕切板により規制されるため、排水ホース３５や給水設備配管３８の設置作業が煩雑になることを抑制できる。
【００８２】
（９）上記実施形態では、天板２４の取付部４５において、給水栓３７の水栓接続部３７ｂが貫通孔４５ａを通じて給水設備スペース５２に入り込んでいた（天板２４の下側に突出していた）が、給水設備配管３８の先端が貫通孔４５ａを通じて天板２４の上側に突出していてもよい。この場合でも、給水栓３７の水栓接続部３７ｂに給水設備配管３８を接続することができる。
【００８３】
また、取付部４５は、貫通孔４５ａではなく切り欠き部を有していてもよい。例えば、天板２４の背面側端部が凹むことで切り欠き部が形成されている構成とする。この構成では、給水栓３７の水栓接続部３７ｂに給水設備配管３８を接続した状態で、給水栓３７又は給水設備配管３８を切り欠き部の内部に入り込ませることが可能となる。したがって、洗濯機１３の給水ホース３４を給水設備配管３８に対して接続した後に、洗濯機１３の隣に収納棚１４を設置することやその収納棚１４を取り外すことが可能となる。
【００８４】
（１０）上記実施形態では、給水栓３７が給水接続部３７ａを天板２４の上側に露出させた状態で天板２４に取り付けられていたが、給水接続部３７ａが天板２４の取付部４５に取り付けられていれば、給水接続部３７ａは天板２４の下側（給水設備スペース５２）に配置されていてもよい。この場合でも、給水ホース３４が、天板２４の貫通孔４５ａや背面開放部２７などを通じて給水設備スペース５２に挿し入れられることで、その給水ホース３４を給水設備スペース５２において給水接続部３７ａに接続することが可能になる。なお、天板２４の取付部４５は、給水接続部３７ａの取り付けが可能であれば貫通孔４５ａを有していなくてもよい。
【００８５】
（１１）給水ホース３４は、給水栓３７を介さずに給水設備配管３８に直接接続されていてもよい。この場合、給水設備３１において給水設備配管３８の端部が給水接続部に相当することになる。同様に、排水ホース３５は、排水トラップ４１を介さずに排水設備配管４２に直接接続されていてもよい。この場合、排水設備３２において排水設備配管４２の端部が排水接続部に相当することになる。
【００８６】
（１２）収納棚１４は、建物１０の一部として設置された作り付けの収納棚とされていてもよい。例えば、天板２４が壁体１６の下地フレーム等に連結されることで、壁体１６により支持された構成とする。
【００８７】
（１３）収納棚１４が隣に設置される水使用機器としては、洗濯機１３の他に食器洗浄機などが挙げられる。要は、給水ホース３４を介して給水設備３１に接続され、且つ排水ホース３５を介して排水設備３２に接続されている機器が水使用機器に該当する。また、水使用機器は、床部１９に直接載置されていなくてもよい。例えば、専用台が床部１９の上に設置され、その専用台の上に水使用機器が設置されている構成とする。
【００８８】
（１４）排水トラップ４１は、床埋め込みタイプではなく、床上に設置されるタイプとされていてもよい。この場合、収納棚１４の排水設備スペース５３に排水トラップ４１が収容され、その排水トラップ４１に接続される排水設備配管４２が床下又は壁内から引き出されていることが好ましい。
【符号の説明】
【００８９】
１０…建物、１１…洗面室、１２…洗面台設備としての洗面台、１３…水使用機器としての洗濯機、１４…建物用の収納棚としての収納棚、１７…壁部としての対向壁部、１９…床面を形成する床部、２１…棚本体、２２…引き出し、２４…天板、２５…側面板、２６…横桟、２７…背面開放部、２８…蹴込み板、３１…給水設備、３２…排水設備、３４…給水ホース、３５…排水ホース、３７ａ…給水接続部、４１ａ…排水接続部、４５…取付部、５１…引き出しスペース、５２…給水設備スペース、５３…排水設備スペース、５７…案内板、６１…挿し入れ孔。
【図１】
2014104276.tif 000003
【図２】
2014104276.tif 000004
【図３】
2014104276.tif 000005
【図４】
2014104276.tif 000006